(57)【要約】【課題】ラケットのフェイス部における平面方向の変形度合を客観的に評価することができるラケット用照合装置を提供する。【解決手段】ラケット用照合装置１は、ラケットＲのフェイス部Ｆにおける平面方向の変形度合を評価する際に用いられるものであって、ラケットＲのフェイス部Ｆを所定位置に保持する保持部２０と、保持部２０により所定位置に保持されたラケットＲのフェイス部Ｆに対向する態様で設けられ、該ラケットＲのフェイス部２０を撮影する撮影部３０と、撮影部３０によって撮影されたラケットＲのフェイス部Ｆの画像を記憶する記憶部５０と、記憶部５０に記憶されている異なるラケットＲのフェイス部Ｆの画像を重ね合わせて照合する照合部４１とを備えることを特徴とする。これにより、ラケットＲのフェイス部Ｆにおける平面方向の変形度合を客観的に評価することができる。【選択図】図３
2013034520.tif 000002
【特許請求の範囲】
【請求項１】
ラケットのフェイス部における平面方向の変形度合を評価する際に用いられるラケット用照合装置であって、
ラケットのフェイス部を所定位置に保持する保持手段と、
該保持手段により所定位置に保持されたラケットのフェイス部に対向する態様で設けられ、該ラケットのフェイス部を撮影する撮影手段と、
該撮影手段によって撮影されたラケットのフェイス部の画像を記憶する記憶手段と、
該記憶手段に記憶されている異なるラケットのフェイス部の画像を重ね合わせて照合する照合手段とを備えることを特徴とするラケット用照合装置。
【請求項２】
前記照合手段が前記記憶手段に記憶されている異なるラケットのフェイス部の画像を照合するに際して、一方の第１のラケットのフェイス部の画像と他方の第２のラケットのフェイス部の画像の間に生じている平面方向のずれを認識するずれ認識手段が設けられている請求項１に記載のラケット用照合装置。
【請求項３】
前記ずれ認識手段によるずれの認識結果に基づいて、第１のラケットのフェイス部の画像と第２のラケットのフェイス部の画像の間に生じている平面方向のずれの量を計測するずれ計測手段が設けられている請求項２に記載のラケット用照合装置。
【請求項４】
前記ずれ認識手段によるずれの認識結果に基づいて、第１のラケットのフェイス部の画像におけるずれが生じている部分に所定の色を着色し、かつ第２のラケットのフェイス部の画像におけるずれが生じている部分に異なる色を着色するとともに、第１のラケットのフェイス部の画像と第２のラケットのフェイス部の画像におけるずれが生じていない部分を無色とする画像着色手段が設けられている請求項２または請求項３に記載のラケット用照合装置。
【発明の詳細な説明】
【技術分野】
【０００１】
本発明は、ラケットのフェイス部における平面方向の変形度合を評価する際に用いられるラケット用照合装置に関する。
【背景技術】
【０００２】
バドミントンやテニスにおいては、シャトルコックあるいはテニスボールを打ち返すためのラケットが用いられる。このラケットを評価する技術は従来より知られており、例えば下記特許文献１に開示されている。
【０００３】
この特許文献１が開示するスイングスピード評価器具は、ラケットに取り付けられて、実際にラケットをスイングすることによって、一定のスイングスピードとなった場合にその旨をプレイヤに音で認識させるという器具である。
【０００４】
ところで、ラケットを新品あるいは中古品で購入する場合、ストリングが張られていない状態で販売されていることが一般的であり、購入者の希望に応じてラケットにストリングが張られる。また、ラケットは使用によってストリングが劣化したり緩んだりするため、ストリングの張り替えあるいは締め直しといった作業が必要となる場合がある。そして、ストリングは十分な強度で張られる必要があることから、相当な力がラケットのフェイス部にかかり、フェイス部が多少なりとも平面方向に変形するものであった。
【先行技術文献】
【特許文献】
【０００５】
【特許文献１】特開２００３−２４０６７２号公報
【発明の概要】
【発明が解決しようとする課題】
【０００６】
しかしながら、従来、ラケットのフェイス部が平面方向に変形しているか否かを示す変形度合の評価は販売業者や修理業者の主観に頼らざるを得ず、ラケットのフェイス部の変形度合を客観的に評価することは行われてこなかった。
【０００７】
また、中古品のラケットは、長期間の使用によりフェイス部自身が平面方向に変形する場合があるが、これを新品のラケットと比較するなどして、ラケットのフェイス部の変形度合を評価することは行われてこなかった。
【０００８】
このため、ラケットの販売業者や修理業者は、ストリングを張ったことにより必要以上にフェイス部が変形したラケットや、長期間の使用によりフェイス部が変形したラケットを提供しまう場合もあり、顧客の信頼を失ってしまうおそれがあるという問題があった。
【０００９】
本発明は、上述の問題に鑑みてなされたものであって、ラケットのフェイス部における平面方向の変形度合を客観的に評価することができるラケット用照合装置を提供することを目的とする。
【課題を解決するための手段】
【００１０】
本発明に係るラケット用照合装置は、上記目的を達成するために、ラケットのフェイス部における平面方向の変形度合を評価する際に用いられるものであって、ラケットのフェイス部を所定位置に保持する保持手段と、該保持手段により所定位置に保持されたラケットのフェイス部に対向する態様で設けられ、該ラケットのフェイス部を撮影する撮影手段と、該撮影手段によって撮影されたラケットのフェイス部の画像を記憶する記憶手段と、該記憶手段に記憶されている異なるラケットのフェイス部の画像を重ね合わせて照合する照合手段とを備えることを特徴とする。
【００１１】
これによれば、異なるラケットのフェイス部を照合するため、ラケットのフェイス部における平面方向の変形度合を客観的に評価することができる。
【００１２】
また、照合手段が記憶手段に記憶されている異なるラケットのフェイス部の画像を照合するに際して、一方の第１のラケットのフェイス部の画像と他方の第２のラケットのフェイス部の画像の間に生じている平面方向のずれを認識するずれ認識手段が設けられているのが好ましい。これによれば、第１のラケットのフェイス部の画像と第２のラケットのフェイス部の画像が平面方向にずれが生じている場合、当該ずれを認識し得るため、ラケットのフェイス部における平面方向の変形度合をより一層客観的に評価することができる。
【００１３】
また、ずれ認識手段によるずれの認識結果に基づいて、第１のラケットのフェイス部の画像と第２のラケットのフェイス部の画像の間に生じている平面方向のずれの量を計測するずれ計測手段が設けられているのが好ましい。これによれば、第１のラケットのフェイス部の画像と第２のラケットのフェイス部の画像が平面方向にずれが生じている場合、当該ずれの量を計測し得るため、ラケットのフェイス部における平面方向の変形度合を精度良く評価することができる。
【００１４】
また、ずれ認識手段によるずれの認識結果に基づいて、第１のラケットのフェイス部の画像におけるずれが生じている部分に所定の色を着色し、かつ第２のラケットのフェイス部の画像におけるずれが生じている部分に異なる色を着色するとともに、第１のラケットのフェイス部の画像と第２のラケットのフェイス部の画像におけるずれが生じていない部分を無色とする画像着色手段が設けられているのが好ましい。これによれば、第１のラケットのフェイス部の画像と第２のラケットのフェイス部の画像が平面方向にずれが生じている場合、当該ずれが生じている部分については第１のラケットのフェイス部と第２のラケットのフェイス部の色を分けて表示し得るとともに、当該ずれが生じていない部分については無色で表示し得るため、ラケットのフェイス部における平面方向の変形度合を視覚的に容易に評価することができる。
【発明の効果】
【００１５】
本発明によれば、異なるラケットのフェイス部を照合するため、ラケットのフェイス部における平面方向の変形度合を客観的に評価することができる。このため、販売業者や修理業者の主観に頼ることなく、ラケットのフェイス部における平面方向の変形度合を客観的に評価することができる。また、中古品のラケットと新品のラケットとを比較することにより、中古品のラケットのフェイス部の変形度合を客観的に評価することができる。
【００１６】
したがって、このように本装置を用いることでラケットにおけるフェイス部の変形度合を客観的に評価することができるため、ラケットに対する信頼性が向上し、新品あるいは中古品のラケットの購入や販売の活性化に貢献することが可能である。
【図面の簡単な説明】
【００１７】
【図１】ラケット用照合装置の正面図である。
【図２】ラケット用照合装置の要部の拡大平面図である。
【図３】ラケット用照合装置の電気的構成を示すブロック図である。
【図４】ストリングが張られたラケットのフェイス部とストリングが張られていないラケットのフェイス部とによる照合結果を示す図である。
【図５】新品のラケットのフェイス部と中古品のラケットのフェイス部とによる照合結果を示す図である。
【発明を実施するための形態】
【００１８】
次に、本発明に係るラケット用照合装置の一実施形態について図１〜図４を参照しつつ説明する。
【００１９】
本実施形態に係るラケット用照合装置（以下「本装置」という）１は、バドミントンあるいはテニスのラケットにおけるフェイス部の変形度合を評価する際に用いられるものである。本実施形態に用いるラケットＲはバドミントン用であり、プレイヤに握持されるグリップ部Ｇと、グリップ部Ｇから延在するシャフト部Ｓと、シャフト部Ｓの先端に設けられた環状のフェイス部Ｆとを有する。また、グリップ部Ｇの後端側をグリップエンドＥといい、フェイス部Ｆの先端側をトップ部Ｔということとする。
【００２０】
本装置１は、図１および図３に示すように、本装置１の各部を支持する基枠部１０と、フェイス部Ｆを保持する保持部２０と、フェイス部Ｆを撮影する撮影部３０と、フェイス部Ｆの画像に各種の処理を実行する制御部４０と、フェイス部Ｆの画像を記憶する記憶部５０と、制御部４０から送信された照合結果が表示される表示部６０とを備えている。
【００２１】
前記基枠部１０は、図１に示すように、各部を支持する中空状の筺体部材であり、底部に平面状の照明部１１を有する。該照明部１１は、発光することによって、保持部２０に保持されたフェイス部Ｆを介して対向する撮影部３０に、フェイス部Ｆの形状を明確に撮影させることができる。また、基枠部１０は、一方側面の下部において、保持部２０に保持されたフェイス部Ｆを挿入させる挿入孔１２を有している。
【００２２】
前記保持部２０は、図１に示すように、基枠部１０の挿入孔１２にフェイス部Ｆを挿入させた状態でラケットＲが載置される載置部２１と、載置部２１に載置されたラケットＲにおけるフェイス部Ｆの位置決めをする挟持部２２とを有している。
【００２３】
前記載置部２１は、グリップ部Ｇが載置される載置片２１ａ、２１ｂと、シャフト部Ｓが載置される載置片２１ｃ、２１ｄと、基枠部１０内のフェイス部Ｆが載置される載置片２１ｅ、２１ｆとを有する。これら載置片２１ａ〜２１ｆにより、フェイス部Ｆの面が基枠部１０の内部において上方を向く態様でラケットＲを載置することができる。
【００２４】
前記挟持部２２は、図１に示すように、フェイス部Ｆのシャフト部Ｓ側に固定された前方挟持片２２ａと、グリップエンドＥ近傍に設けられた後方挟持片２２ｂとを有する。前方挟持片２２ａは、環状に形成されたフェイス部Ｆの内側に当接する態様で設けられ、ラケットＲの前方（トップ部Ｔ側）への移動を規制する。また、後方挟持片２２ｂは、グリップエンドＥの延長上においてラケットＲの長さ方向に移動可能に設けられている。この後方挟持片２２ｂが前方に移動すると、後方挟持片２２ｂはグリップエンドＥに当接し、その状態でラケットＲを前方側に押圧するが、前方挟持片２２ａによってラケットＲの前方への移動が規制されてことより、ラケットＲが挟持される。これにより、保持部２０はラケットＲのフェイス部Ｆを所定位置で保持することができる。
【００２５】
前記撮影部３０は、図１に示すように、基枠部１０内の上部に支持され、保持部２０によって所定位置に保持されたフェイス部Ｆに対向する態様で設けられ、図２に示すアングルでフェイス部Ｆのフェイス面を上方から撮影する。なお、撮影部３０は、図３に示すように、撮影したフェイス部Ｆの画像を制御部４０に送信する。
【００２６】
前記制御部４０は、図３に示すように、撮影部３０から送信されたフェイス部Ｆの画像を受信して記憶部５０に送信する。また、制御部４０は、記憶部５０に記憶されているフェイス部Ｆの画像を読み出して後述する所定の処理を実行し、該所定の処理の結果（照合結果）を表示部６０に送信して表示させる。
【００２７】
この制御部４０は、複数のフェイス部の画像を照合する照合部４１と、照合した複数のフェイス部の画像のずれを認識するずれ認識部４２と、複数のフェイス部の画像におけるずれの量を計測するずれ計測部４３と、複数のフェイス部の画像においてずれが生じている部分を着色する画像着色部４４として各処理を実行する。これら制御部４０が実行する処理に該当する各部４１〜４４について図４を参照しつつ以下に説明する。なお、以下においてはストリングが張られていないラケットＲのフェイス部Ｆの画像（以下「第１フェイス部画像」という）、およびストリングが張られたラケットＲのフェイス部Ｆの画像（以下「第２フェイス部画像」という）を、異なる複数のフェイス部の画像とする。また、第２フェイス部画像のフェイス部Ｆが第１フェイス部画像のフェイス部Ｆに対して変形しているものとして説明する。
【００２８】
前記照合部４１は、記憶部５０に記憶されている第１フェイス部画像と第２フェイス部画像とを重ね合わせて照合する。これにより、図４においてずれ部Ａ１〜Ａ５およびずれ部Ｂ１〜Ｂ５が生じる。これらずれ部Ａ１〜Ａ５およびずれ部Ｂ１〜Ｂ５は、第１フェイス部画像と第２フェイス部画像とを照合した際の各フェイス部Ｆ間における形状のずれである。したがって、ずれを示すずれ部Ａ１〜Ａ５およびずれ部Ｂ１〜Ｂ５が生じた照合結果を表示部６０で表示させると、第１フェイス部画像のフェイス部Ｆに対する第２フェイス部画像のフェイス部Ｆの平面方向における変形度合を客観的に評価することができる。
【００２９】
前記ずれ認識部４２は、照合部４１が第１フェイス部画像と第２フェイス部画像とを照合するに際して、第１フェイス部画像と第２フェイス部画像との間に生じている平面方向のずれを認識する。本実施形態では、ずれ認識部４２がずれの認識結果としてずれ部Ａ１〜Ａ５およびずれ部Ｂ１〜Ｂ５を認識することにより、第１フェイス部画像のフェイス部Ｆに対する第２フェイス部画像のフェイス部Ｆの平面方向における変形度合をより一層客観的に評価することができる。
【００３０】
前記ずれ計測部４３は、ずれ認識部４２によるずれの認識結果に基づいて、第１フェイス部画像と第２フェイス部画像の間に生じている平面方向のずれの量を計測する。具体的に、本実施形態のずれ計測部４３は、図４に示すように、重ね合わせた第１フェイス部画像と第２フェイス部画像に対してラケットＲの長さ方向に平行な４本の罫線Ｌ１１〜Ｌ１４を等間隔で配置し、ラケットＲの幅方向に平行な５本の罫線Ｌ２１〜Ｌ２５を等間隔で配置する。これら罫線Ｌ１１〜Ｌ１４および罫線Ｌ２１〜Ｌ２５は、ずれ認識部４２によって認識されたずれ部Ａ１〜Ａ５およびずれ部Ｂ１〜Ｂ５の少なくともいずれかを通過する態様で配置されている。そして、ずれ計測部４３は、罫線Ｌ１１〜Ｌ１４の各罫線上におけるラケットＲの長さ方向のずれの量を個別に計測し、罫線Ｌ２１〜Ｌ２５の各罫線上におけるラケットＲの幅方向のずれの量を個別に計測する。
【００３１】
例えば、ずれ計測部４３は、罫線Ｌ１１上におけるラケットＲの長さ方向のずれの量Ｐ１１を、ずれ部Ａ２、Ａ４およびずれ部Ｂ２、Ｂ４に基づいて計測する。その結果、ずれの量Ｐ１１は−０．１ｍｍ（ミリメートル）と計測されて、図４に示すように罫線Ｌ１１の近傍に付される。したがって、ずれの量Ｐ１１から、罫線Ｌ１１上における長さ方向において、第２フェイス部画像のフェイス部Ｆが第１フェイス部画像のフェイス部Ｆに対して０．１ｍｍ小さくなるように変形していることを評価することができる。同様に、他の罫線上におけるラケットＲの長さ方向および幅方向のずれの量も個別に計測する。このように、ずれ計測部４３が第１フェイス部画像のフェイス部Ｆに対する第２フェイス部画像のフェイス部Ｆのずれの量を計測し得るため、フェイス部Ｆにおける平面方向の変形度合を精度良く評価することができる。
【００３２】
前記画像着色部４４は、ずれ認識部４２によるずれの認識結果に基づいて、第１フェイス部画像のずれ部Ａ１〜Ａ５に赤色を着色し、かつ第２フェイス部画像のずれ部Ｂ１〜Ｂ５に青色を着色するとともに、第１フェイス部画像と第２フェイス部画像とにおいてずれが生じていない部分（両フェイス部Ｆが一致している部分）Ｃを無色とする。これにより、表示部６０において、ずれ部Ａ１〜Ａ５およびずれ部Ｂ１〜Ｂ５については第１フェイス部画像のフェイス部Ｆと第２フェイス部画像のフェイス部Ｆの色を分けて表示し得るとともに、当該ずれが生じていない部分Ｃについては無色で表示し得るため、フェイス部Ｆにおける平面方向の変形度合を視覚的に容易に評価することができる。なお、図４では、図面に着色が施せない関係上、ずれ部Ａ１〜Ａ５部（赤色に相当）を点線で表示し、ずれ部Ｂ１〜Ｂ５部（青色に相当）を実線で表示しているが、実際には実線にて各色が着色されている。
【００３３】
前記記憶部５０は、上述のように、撮影部３０によって撮影されたフェイス部Ｆの画像を制御部４０から受信して記憶する。本実施形態の記憶部５０は、第１フェイス部画像と第２フェイス部画像とを異なる複数のフェイス部の画像として記憶しており、記憶しているフェイス部の画像が制御部４０によって読み出される。
【００３４】
前記表示部６０は、制御部４０から送信された照合結果が表示可能である。したがって、この表示部６０においては、図４に示した制御部４０からの照合結果が表示されるため、目視によってラケットＲのフェイス部Ｆにおける平面方向の変形度合を客観的に評価することができることとなる。
【００３５】
次に、本装置１における使用手順について説明する。
【００３６】
まず、保持部２０にストリングが張られていないラケットＲを保持させて、撮影部３０により該ラケットＲのフェイス部Ｆを撮影する。その後、撮影されたフェイス部Ｆの画像が制御部４０に送信され、該フェイス部Ｆの画像が制御部４０から記憶部５０に送信されて記憶される。ここで記憶されたフェイス部Ｆの画像を第１フェイス部画像とする。なお、撮影の後、ストリングの張られていないラケットＲは保持部２０から取り外される。
【００３７】
次に、保持部２０にストリングが張られたラケットＲを保持させて、撮影部３０により該ラケットＲのフェイス部Ｆを撮影する。その後、撮影されたフェイス部Ｆの画像が制御部４０に送信され、該フェイス部Ｆの画像が制御部４０から記憶部５０に送信されて記憶される。ここで記憶されたフェイス部Ｆの画像を第２フェイス部画像とする。
【００３８】
次に、制御部４０によって、記憶部５０に記憶されている第１フェイス部画像および第２フェイス部画像が読み出され、照合部４１によって該第１フェイス部画像および第２フェイス部画像が重ね合わせて照合される。これにより、図４に示されるずれ部Ａ１〜Ａ５およびずれ部Ｂ１〜Ｂ５が生じる。
【００３９】
次に、照合部４１が第１フェイス部画像と第２フェイス部画像とを照合するに際して、ずれ部Ａ１〜Ａ５およびずれ部Ｂ１〜Ｂ５がずれ認識部４２によって認識される。
【００４０】
次に、ずれ計測部４３によって、ずれ認識部４２によるずれの認識結果に基づいて、第１フェイス部画像と第２フェイス部画像の間に生じている平面方向のずれの量Ｐｎが計測される。
【００４１】
次に、画像着色部４４によって、ずれ認識部４２によるずれの認識結果に基づいて、第１フェイス部画像のずれ部Ａ１〜Ａ５に赤色を着色し、かつ第２フェイス部画像のずれ部Ｂ１〜Ｂ５に青色を着色するとともに、第１フェイス部画像と第２フェイス部画像とにおいてずれが生じていない部分Ｃを無色とする。そして、これらの照合結果が制御部４０から表示部６０に送信される。
【００４２】
その結果、表示部６０において、図４に示した照合結果が表示されるため、目視によってラケットＲのフェイス部Ｆにおける平面方向の変形度合を客観的に評価することができる。
【００４３】
なお、本実施形態においては、ストリングが張られていないラケットＲとストリングが張られたラケットＲとにおけるフェイス部Ｆ同士を照合する場合について説明したが、いずれもストリングが張られていない２本のラケットで、一方が新品であり、他方が中古品であるのフェイス部Ｆ同士を照合してもよい。この場合、新品のラケットＲのフェイス部Ｆの画像を第１フェイス部画像とし、中古品のラケットＲのフェイス部Ｆの画像を第２フェイス部画像とする。これにより、図５に示すように、中古品のラケットＲは全体的にフェイス部Ｆが長さ方向に小さくなるように変形し、またシャフト部Ｓ側のフェイス部Ｆが幅方向に大きくなるように変形しているというように、フェイス部Ｆの平面方向における変形度合を客観的に評価することができる。
【００４４】
また、第１フェイス部画像のフェイス部Ｆと第２フェイス部画像のフェイス部Ｆと変形度合を表示部６０の表示をもって評価する場合について説明したが、制御部４０が、照合結果に基づいてフェイス部Ｆの変形度合を評価する評価手段として機能してもよい。例えば、ずれの量の適正値、適正範囲あるいは閾値などの評価情報を予め記憶部５０に記憶させておき、制御部４０が該評価情報に基づいて第２フェイス部画像のフェイス部Ｆの変形度合を評価する。これにより、本装置１がフェイス部Ｆの変形度合を自動で評価するため、フェイス部Ｆの変形度合の評価の精度が向上する。
【００４５】
また、ずれ計測部４３が、各罫線が通過する位置ごとにずれの量Ｐｎを計測する場合について説明したが、ずれ認識部４２によるずれの認識結果に基づく他の物理量を用いてずれの量を計測するようにしてもよい。
【００４６】
また、画像着色部４４が第１フェイス部画像のずれ部Ａ１〜Ａ５に赤色を着色し、かつ第２フェイス部画像のずれ部Ｂ１〜Ｂ５に青色を着色する場合について説明したが、その他の色を着色するようにしてもよい。また、ずれ量が大きい部分は色を濃くし、ずれ量が小さい部分は色を薄くするなどして、ずれの大きさに応じて色の濃度を変化させてもよい。
【００４７】
また、ずれ計測部４３によるずれの量や、画像着色部４３による着色は行わず、第１フェイス画像と第２フェイス画像の重ね合わせて照合した結果のみを表示するようにしてもよい。
【００４８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４９】
１…ラケット用照合装置（本装置）
１０…基枠部
１１…照明部
１２…挿入孔
２０…保持部
２１…載置部
２１ａ〜２１ｆ…載置片
２２…挟持部
２２ａ…前方挟持片
２２ｂ…後方挟持片
３０…撮影部
４０…制御部
４１…照合部
４２…ずれ認識部
４３…ずれ計測部
４４…画像着色部
５０…記憶部
６０…表示部
Ｒ…ラケット
Ｆ…フェイス部
【図１】
2013034520.tif 000003
【図２】
2013034520.tif 000004
【図３】
2013034520.tif 000005
【図４】
2013034520.tif 000006
【図５】
2013034520.tif 000007